(57)【要約】【課題】従来の多心光ファイバアレー用フェルールは、平板基板と抑え蓋とを作成しなければならず部品数が多く必要とした。【解決手段】光ファイバ配列変換孔の光ファイバテープ収納部側の開口部に、又は、光ファイバテープ収納部に、光ファイバを光ファイバ配列変換孔に誘導するテーパーが光ファイバテープ心線の厚さ方向に形成されてなることを特徴とする。この結果、光ファイバ配列変換孔を有する多心光ファイバアレー用フェルールを採用することにより部品点数が１個ですみ、更に光ファイバを光ファイバ配列変換孔に挿入するのが容易になる。【選択図】        図１
2004246112.tif 000002
【特許請求の範囲】
【請求項１】
一端に、複数の光ファイバが一列に配置され、その外側に被覆が施されて構成された１対ないし複数対の光ファイバテープ心線を厚さ方向に対同士で積層して配置する光ファイバテープ収納部が形成され、
前記一端と対向する他端に、光ファイバ配列端が形成され、
前記光ファイバテープ収納部と光ファイバ配列端との間に、前記積層された一方の光ファイバテープ心線の各光ファイバ間に他方の光ファイバテープ心線の各光ファイバを配置し、これら各光ファイバの端部を一列に配列させて前記光ファイバ配列端から露出させる光ファイバ配列変換孔が形成され、
前記光ファイバ配列変換孔の光ファイバテープ収納部側に、光ファイバテープ心線の厚さ方向に拡径するテーパーが形成されてなることを特徴とする多心光ファイバアレー用フェルール。
【請求項２】
一端に、複数の光ファイバが一列に配置され、その外側に被覆が施されて構成された１対ないし複数対の光ファイバテープ心線を厚さ方向に対同士で積層して配置する光ファイバテープ収納部が形成され、
前記一端と対向する他端に、光ファイバ配列端が形成され、
前記光ファイバテープ収納部と光ファイバ配列端との間に、前記積層された一方の光ファイバテープ心線の各光ファイバ間に他方の光ファイバテープ心線の各光ファイバを配置し、これら各光ファイバの端部を一列に配列させて前記光ファイバ配列端から露出させる光ファイバ配列変換孔が形成され、
前記光ファイバテープ収納部に、光ファイバを光ファイバ配列変換孔に誘導するテーパーが光ファイバテープ心線の厚さ方向に形成されていることを特徴とする多心光ファイバアレー用フェルール。
【請求項３】
光ファイバ配列変換孔は、各光ファイバ用の独立した複数の孔で構成されていることを特徴とする請求項１又は請求項２に記載の多心光ファイバアレー用フェルール。
【請求項４】
光ファイバ配列変換孔は、各光ファイバが共通に配置される断面形状横長の１個の孔で構成されていることを特徴とする請求項１又は請求項２に記載の多心光ファイバアレー用フェルール。
【請求項５】
断面形状横長の１個の孔内には、各光ファイバを隔壁する案内溝が形成されていることを特徴とする請求項４に記載の多心光ファイバアレー用フェルール。
【請求項６】
光ファイバ配列変換孔は、光ファイバテープ収納部側の開口部の上壁にテーパーが形成されていることを特徴とする請求項１乃至請求項５のいずれか１に記載の多心光ファイバアレー用フェルール。
【請求項７】
光ファイバ配列変換孔は、光ファイバテープ収納部側の開口部の下壁にテーパーが形成されていることを特徴とする請求項１乃至請求項５のいずれか１に記載の多心光ファイバアレー用フェルール。
【請求項８】
光ファイバ配列変換孔は、光ファイバテープ収納部側の開口部の上壁及び下壁にテーパーが形成されていることを特徴とする請求項１乃至請求項５のいずれか１に記載の多心光ファイバアレー用フェルール。
【請求項９】
光ファイバテープ収納部側の光ファイバ配列変換孔は、上側積層光ファイバテープ心線の光ファイバ用と下側積層光ファイバテープ心線の光ファイバ用とで孔の開始位置が異なっていることを特徴とする請求項１乃至請求項８のいずれか１に記載の多心光ファイバアレー用フェルール。
【請求項１０】
テーパーは、光ファイバ配列変換孔の軸線方向に対して５〜４５度であることを特徴とする請求項１乃至請求項９のいずれか１に記載の多心光ファイバアレー用フェルール。
【請求項１１】
テーパーは、上側積層光ファイバテープ心線の光ファイバ用と下側積層光ファイバテープ心線の光ファイバ用との一方にのみ形成されていることを特徴とする請求項１乃至請求項１０のいずれか１に記載の多心光ファイバアレー用フェルール。
【請求項１２】
光ファイバテープ収納部内には光ファイバを光ファイバ配列変換孔に案内する光ファイバ案内溝が形成されていることを特徴とする請求項１乃至請求項１１のいずれか１に記載の多心光ファイバアレー用フェルール。
【請求項１３】
光ファイバテープ収納部の光ファイバテープ心線積層方向上部に光ファイテープ収納部確認用の切り欠きが形成されていることを特徴とする請求項１乃至請求項１２のいずれか１に記載の多心光ファイバアレー用フェルール。
【請求項１４】
請求項１乃至請求項１３のいずれか１の多心光ファイバアレー用フェルールに形成された光ファイバテープ収納部から、複数の光ファイバが一列に配置されその外側に被覆が施されて構成された一方の光ファイバテープ心線の端部から被覆が除去されて形成された複数の光ファイバを挿入して、各光ファイバを光ファイバ配列変換孔内で幅方向に間隔を隔てて配置され、
その後に、光ファイバテープ収納部から、複数の光ファイバが一列に配置されその外側に被覆が施されて構成された他方の光ファイバテープ心線の端部から被覆が除去されて形成された複数の光ファイバを挿入し、光ファイバ配列変換孔内で前記に間隔を隔てて配置された光ファイバ間に他方の光ファイバテープ心線の書く光ファイバを配置させることを特徴とする光ファイバアレーの製造方法。
【請求項１５】
請求項１４によって製造されたことを特徴とする光ファイバアレー。
【発明の詳細な説明】
【０００１】
【産業上の利用分野】
本発明は、積層された一対の光ファイバテープ心線の各光ファイバを一列に配列させて一端から露出させる多心光ファイバアレー用フェルール、それを用いた光ファイバアレーの製造方法及びこれにより製造された光ファイバアレーに関するものである。
【０００２】
【従来の技術】
この種の光ファイバアレーは、多心光ファイバ同士の高密度接続や多心光ファイバとアレー導波路との接続部などに用いられる。
【０００３】
一般にこの種の光ファイバアレーは、多心光ファイバアレー用フェルール内で、１ないし複数本の光ファイバテープ心線が横一列に配置され、その光ファイバテープ心線の端部から被覆の除去された複数の光ファイバを一列に配置させたものや、１対ないし複数対の光ファイバテープ心線をその厚さ方向に積層させて配置されたテープ心線の光ファイバを一列に配置させたものなどが存在する。
【０００４】
本発明は、後者の対の光ファイバテープ心線をその厚さ方向に積層させて構成する光ファイバアレーに関するものである。
【０００５】
従来のこの種の光ファイバアレーは、図１６に示すようにして製造することが提案されていた（例えば特許文献１）。
図１６において、１は複数の光ファイバ２が一列に配置されその上に樹脂被覆が施された下側光ファイバテープ心線、３は複数の光ファイバ４が一列に配置されその上に樹脂被覆が施された上側光ファイバテープ心線、５はＵ字状又はＶ字状などの配列溝６が表面に刻設された平板基板、７は押さえ蓋である。
【０００６】
光ファイバアレーを製造するには、先ず始めに、図１６（Ａ）に示すように、光ファイバテープ心線１の端部の樹脂被覆を所定長剥ぎ取って光ファイバ２を露出させ、次ぎに、図６（Ｂ）に示すように、各光ファイバ２を平板基板５の配列溝６上に一つ飛び置き毎の配列溝６に配置する。
【０００７】
次ぎに図６（Ｃ）に示すように、押さえ蓋７を配列溝６上に被せた後、図６（Ｄ）に示すように、光ファイバテープ心線３の端部の樹脂被覆を所定長剥ぎ取って光ファイバ４を露出させ、未だ光ファイバ２が配置されていない配列溝６と抑え蓋７とで形成される空間内に各光ファイバ４を図６（Ｅ）に示すように挿入する。
【０００８】
次ぎに図示していない接着剤で配列溝６上に配置された光ファイバ２及び４、平板基板５及び抑え蓋７を一体に固着する。
【０００９】
【特許文献１】
特開平１０‐９６８３６号公報
【００１０】
【発明が解決しようとする課題】
しかしながら、平板基板５上に刻設された配列溝６上に一つ飛び置き毎に光ファイバ２を配置し、その後に抑え蓋７を被せ、その後に他方の光ファイバテープ心線３の光ファイバ４を残りの配列溝に挿入する多心光ファイバアレー用フェルールは、平板基板５と抑え蓋７とを作成しなければならず部品数が多く必要とする欠点があった。
【００１１】
【課題を解決するための手段】
本発明はかかる点に鑑み、図１３に示すように、一端１１に、複数の光ファイバ２・４が一列に配置され、その外側に被覆が施されて構成された１対ないし複数対の光ファイバテープ心線１・３を厚さ方向に対同士で積層して配置する光ファイバテープ収納部１２が形成され、
前記一端１１と対向する他端１３に、光ファイバ配列端１４が形成され、
前記光ファイバテープ収納部１２と光ファイバ配列端１４との間に、前記積層された一方の光ファイバテープ心線１の各光ファイバ２間に他方の光ファイバテープ心線３の各光ファイバ４を配置し、これら各光ファイバ２・４の端部２’・４’を一列に配列させて前記光ファイバ配列端１４から露出させる光ファイバ配列変換孔１５が形成された多心光ファイバアレー用フェルールの構造を検討した。
【００１２】
しかしながら、この構造の多心光ファイバアレー用フェルールは光ファイバテープ収納部１２側の光ファイバ配列変換孔１５に光ファイバ２・４を挿入する際に、図１４に示すように光ファイバ２・４の先端が光ファイバ配列変換孔１５のブロック１６の前壁に突き当たり光ファイバ２・４が破損したり、光ファイバ配列変換孔１５への光ファイバ２・４の挿入が困難になったすることが発生する。図１４は光ファイバテープ心線３の光ファイバ４がブロック１６の前壁に突き当たっている場合が示されている。
【００１３】
また仮に光ファイバ２・４を光ファイバ配列変換孔に挿入できたとしても図１５に示すように光ファイバ２・４が互いに入れ違って光ファイバ配列変換孔に挿入されたり、その際に光ファイバ２・４が切断されたり、破損したりする場合が発生する。
【００１４】
そこで本発明者は、前記光ファイバ配列変換孔１５の光ファイバテープ収納部１２側の開口部に、又は、前記光ファイバテープ収納部１２に、光ファイバ２・４を光ファイバ配列変換孔１５に誘導するテーパーが光ファイバテープ心線１・３の厚さ方向に形成することによりその課題を解決し、本発明に至った。
【００１５】
本発明の１つは、一端に、複数の光ファイバが一列に配置され、その外側に被覆が施されて構成された１対ないし複数対の光ファイバテープ心線を厚さ方向に対同士で積層して配置する光ファイバテープ収納部が形成され、
前記一端と対向する他端に、光ファイバ配列端が形成され、
前記光ファイバテープ収納部と光ファイバ配列端との間に、前記積層された一方の光ファイバテープ心線の各光ファイバ間に他方の光ファイバテープ心線の各光ファイバを配置し、これら各光ファイバの端部を一列に配列させて前記光ファイバ配列端から露出させる光ファイバ配列変換孔が形成され、
前記光ファイバ配列変換孔の光ファイバテープ収納部側の開口部に、又は、前記光ファイバテープ収納部に、光ファイバを光ファイバ配列変換孔に誘導するテーパーが光ファイバテープ心線の厚さ方向に形成されてなることを特徴とする。
【００１６】
他の本発明は、上記特徴による多心光ファイバアレー用フェルールに形成された光ファイバテープ収納部から、複数の光ファイバが一列に配置され、その外側に被覆が施されて構成された一方の光ファイバテープ心線の端部から被覆が除去されて形成された複数の光ファイバを挿入して、各光ファイバを光ファイバ配列変換孔内で幅方向に間隔を隔てて配置され、
その後に、光ファイバテープ収納部から、複数の光ファイバが一列に配置されその外側に被覆が施されて構成された他方の光ファイバテープ心線の端部から被覆が除去されて形成された複数の光ファイバを挿入し、光ファイバ配列変換孔内で前記に間隔を隔てて配置された光ファイバ間に他方の光ファイバテープ心線の各光ファイバを配置させることを特徴とする。
【００１７】
更に他の本発明は、上記光ファイバアレーの製造により形成された光ファイバアレーである。
【００１８】
【発明の実施の形態】
光ファイバ配列変換孔は、各光ファイバ用の独立した複数の孔で構成されていても良く、また断面形状横長の１個の孔で構成されていても良い。
断面形状横長の１個の孔内には、各光ファイバを隔壁する案内溝が形成されていても良い。
【００１９】
光ファイバ配列変換孔は、光ファイバテープ収納部側の開口部の上壁に、または下壁のいずれか一方にテーパーが形成されていても良く、また光ファイバテープ収納部側の開口部の上壁と下壁との両方にテーパーが形成されていても良い。
光ファイバテープ収納部側の光ファイバ配列変換孔は、上側積層光ファイバテープ心線の光ファイバ用と下側積層光ファイバテープ心線の光ファイバ用とで孔の開始位置が異なっていても良い。
【００２０】
テーパーは、光ファイバ配列変換孔の軸線方向に対して５〜４５度の範囲で変更可能である。
テーパーは、上側積層光ファイバテープ心線の光ファイバ用と下側積層光ファイバテープ心線の光ファイバ用との一方にのみ形成されていても良い。
光ファイバテープ収納部内には、光ファイバを光ファイバ配列変換孔に案内する案内溝が形成されていても良い。
【００２１】
光ファイバテープ収納部の光ファイバテープ心線積層方向上部には、光ファイテープ収納部確認用の切り欠きが形成され、内部を観察できるように構成されていても良い。
【００２２】
【実施例】
以下本発明を図示した実施例により更に本発明を詳しく説明する。
図１、図２において、２０は本発明に係る多心光ファイバアレー用フェルールであり、図１は一部透過した斜視図、図２のイ、ロ、ハはそれぞれ光ファイバを挿入する際の断面説明図である。
【００２３】
図において、１、２、３、４、１１、１２、１３、１４、１５はそれぞれ図１４及び図１５に示したと同様に、光ファイバテープ心線、光ファイバ、光ファイバテープ心線、光ファイバ、一端、光ファイバテープ収納部、他端、光ファイバ配列端、光ファイバ配列変換孔である。これら１２〜１５は図１４、図１５と同様の機能を成すものである。
【００２４】
しかしながら、光ファイバテープ心線１・３は、図１、図２で示したものは光ファイバ２・４がそれぞれ２心で構成されているのに対して、図１４、図１５で示されたものは４心である点で異なっている。当然にして光ファイバ配列端１４に配置される心線数もこれに応じて異なっている。なお、本実施例においては外径が１２５μｍφの石英製の光ファイバ２・４を２５０μｍ間隔に配置され、その上に樹脂被覆が施されて光ファイバテープ心線１・３が構成された例を示している。
【００２５】
２１は多心光ファイバアレー用フェルール２０の上側の一部に形成された切り欠き、２２は光ファイバテープ収納部１２内に形成された光ファイバ配列変換孔１５と連通する光ファイバ案内溝、２３は光ファイバ配列変換孔１５の光ファイバテープ収納部１２側の開口部に光ファイバテープ心線１・３積層方向（光ファイバテープ心線１・３の厚さ方向）に拡径するテーパーである。テーパー２３の形状は単なる平面形状でもよいが、光ファイバ配列変換孔１５に向って形成されたＵ字状又はＶ字状の溝を形成するのが良い。テーパー２３は、光ファイバ配列変換孔１５の軸線方向に対して傾斜していれば、どのような範囲でも良いが、５〜４５度の範囲が適切である。
【００２６】
なお、光ファイバテープ心線１・３は、例えば、外径が１２５μｍφの石英製の光ファイバ２・４を２５０μｍ間隔に配置され、その上に樹脂被覆が施されて構成される。この場合、光ファイバテープ収納部１２内に形成された光ファイバ配列変換孔１５に連通する光ファイバ案内溝２２は１２７μｍ程度の間隔に形成される。
【００２７】
本発明の一実施例は上記のように構成されているので、光ファイバテープ心線１・３の光ファイバ２・４を光ファイバテープ収納部１２側から光ファイバ配列変換孔１５に挿入する際に、図２に示すように、光ファイバ２・４の先端が、テーパー２３によって光ファイバ配列変換孔１５側にスムーズに屈曲し、光ファイバ２・３が破損することもなく、容易に光ファイバ２・４を光ファイバ配列変換孔１５に挿入することができる。なお、図２（ハ）は、光ファイバ４がテーパー２３によって屈曲されながら光ファイバ配列変換孔１５に案内される場合を示している。
【００２８】
図３及び図４は本発明の他の実施例を示すもので、図３は一部透過した斜視図、図４のイ、ロはそれぞれ異なる光ファイバ案内溝の位置での断面図である。本実施例は、図１・２に比較して、光ファイバテープ心線１・３の一方の光ファイバ２又は４が挿入される光ファイバ配列変換孔１５にのみテーパー２３が形成された点で異なっている。
通常、光ファイバ配列変換孔１５に先に挿入される光ファイバ２は挿入が容易であり、後で挿入される光ファイバ４は困難を伴うので、この光ファイバ４を挿入する側にテーパー２３を形成するのが良い。
【００２９】
図５は本発明の更に他の実施例を示すもので、図１・２に示された実施例に比較して、切り欠き２１が多心光ファイバアレー用フェルール２０の一端１１から直に形成されている点が異なっている。このような構造の多心光ファイバアレー用フェルール２０は、光ファイバ２・４を斜め上から光ファイバ配列変換孔１５に挿入することができるので、光ファイバ２・４の挿入が容易になる。
【００３０】
図６・図７は本発明の更に他の実施例を示すもので、図６は一部透過した斜視図、図７のイ、ロはそれぞれ異なる光ファイバ案内溝２２での断面図である。この実施例は、図１に図示した実施例に比較して、光ファイバ２用の光ファイバ案内溝２２’の位置と光ファイバ４用の光ファイバ案内溝２２’’との位置が、光ファイバ案内溝２２の長手方向で異なり、更に高さ方向で異なるように配置され、更に、光ファイバ案内溝の位置が深い側の光ファイバ案内溝２２’と、この光ファイバ案内溝２２’に連通する光ファイバ配列変換孔１５との間には、光ファイバ２を光ファイバ配列変換孔１５に誘導するテーパー２３が形成されている点で異なる。
【００３１】
図６・図７に示した実施例は、下側の光ファイバテープ心線１の光ファイバ２を光ファイバ配列変換孔１５に挿入する際に、テーパー２３により光ファイバ２が光ファイバ配列変換孔１５に誘導され、容易に光ファイバ２を光ファイバ配列変換孔１５に挿入することが可能になる。
【００３２】
図８・図９は本発明の更に他の実施例を示すもので、図８は一部透過した斜視図、図９のイ、ロはそれぞれ異なる光ファイバ案内溝２２での断面図である。図に示した実施例は、図６・図７に図示した実施例に比較して、光ファイバ２用の光ファイバ案内溝２２’の位置と光ファイバ４用の光ファイバ案内溝２２’’の位置とが光ファイバ案内溝２２の長手方向で同じである点が異なっている。この際、一端１１側に近い光ファイバ案内溝２２’と光ファイバ案内溝２２’’との溝の深さｈを光ファイバテープ心線１・３の厚さ以上に形成しておくと、光ファイバテープ心線１と２とが光ファイバテープ収納部１２内で積層されて配置される際に、容易に積層することができる（図１０参照）。
【００３３】
図８・図９に示した実施例は、図６・図７の実施例と同様に、下側の光ファイバテープ心線１の光ファイバ２を光ファイバ配列変換孔１５に挿入する際に、テーパー２３により光ファイバ２が光ファイバ配列変換孔１５に誘導され、容易に光ファイバ２を光ファイバ配列変換孔１５に挿入することが可能になる。
【００３４】
図１１は本発明の更に他の実施例を示す一部透過の斜視図である。図に示された実施例は、図６に図示した実施例に比較して、溝が深い光ファイバ案内溝２２’側に形成されたテーパー２３’が光ファイバ配列変換孔１５内に形成され、さらに光ファイバ案内溝２２’’側にも光ファイバ配列変換孔１５内で上側に拡径するようにテーパー２３’’が形成されている点が異なっている。
【００３５】
このように形成された実施例は、下側の光ファイバテープ心線１の光ファイバ２を光ファイバ配列変換孔１５に挿入する際に、テーパー２３’により光ファイバ２が光ファイバ配列変換孔１５に誘導され、容易に光ファイバ２を光ファイバ配列変換孔１５に挿入することが可能になり、更に上側の光ファイバテープ心線３の光ファイバ４を光ファイバ配列変換孔１５に挿入する際に、テーパー２３’’により光ファイバ４が光ファイバ配列変換孔１５に誘導され、容易に光ファイバ４を光ファイバ配列変換孔１５に挿入することが可能になる。
【００３６】
図１２は本発明の更に他の実施例を示す一部透過の斜視図である。図に示された実施例は、図１１に図示した実施例に比較して、光ファイバ案内溝２２’と光ファイバ案内溝２２’’の位置がその長手方向に対して同じ位置に形成されている点が異なっている。
【００３７】
このように形成された実施例であっても、図１１に示した実施例と同様に両光ファイバ２、４を容易に光ファイバ配列変換孔１５に挿入することできる。
【００３８】
このように形成された多心光ファイバアレー用フェルール２０を用いて、光ファイバアレーに組み立てるには、先ず始めに、図１６（Ａ）に示すように、光ファイバテープ心線１の端部の樹脂被覆を所定長剥ぎ取って裸の光ファイバ２を露出させ、次ぎに、光ファイバテープ収納部１２側から前記裸の光ファイバ２を差し込み光ファイバ２用の光ファイバ案内溝２２’上に載置しながら、光ファイバ２を光ファイバ配列変換孔１５側に押し込み光ファイバ２を光ファイバ配列変換孔１５に挿入する。
【００３９】
次ぎに光ファイバテープ心線２の端部の樹脂被覆を所定長剥ぎ取って露出された裸の光ファイバ４を、光ファイバテープ収納部１２側から差し込み、光ファイバ４用の光ファイバ案内溝２２’’上に載置しながら、光ファイバ４を光ファイバ配列変換孔１５側に押し込み光ファイバ４を光ファイバ配列変換孔１５に挿入する。
【００４０】
次ぎに図示しない接着剤等を用いて光ファイバ２及び４を多心光ファイバアレー用フェルール２０と一体に固着する。
【００４１】
光ファイバ配列端１４から露出した光ファイバ２・４は光ファイバ配列端１４から一定長に揃えられて利用される。多心光ファイバコネクタとして用いられる場合は、光ファイバ２・４の端部２’・４’を光ファイバ配列端１４面と同一平面状に調整される等して用いられる場合もある。
【００４２】
なお、上記本発明の実施例は主に、２心の光ファイバをテープ状に構成した光ファイバテープ心線１・３を説明しているが、本発明はその他の本数の光ファイバをテープ状に形成した光ファイバテープ心線であっても同様に適用可能である。また更に、上記本発明の実施例は一対の光ファイバテープ心線が積層される場合を説明しているが、本発明は複数の光ファイバテープ心線をその幅方向に並べ、この上にこの光ファイバテープ心線と同数の光ファイバテープを積層して光ファイバアレーを構成することも可能である。
【００４３】
【効果】
本発明は、上述のように、一端に、複数の光ファイバが一列に配置されその外側に被覆が施されて構成された１対ないし複数対の光ファイバテープ心線を厚さ方向に対同士で積層して配置する光ファイバテープ収納部が形成され、
前記一端と対向する他端に、光ファイバ配列端が形成され、
前記光ファイバテープ収納部と光ファイバ配列端との間に、前記積層された一方の光ファイバテープ心線の各光ファイバ間に他方の光ファイバテープ心線の各光ファイバを配置し、これら各光ファイバの端部を一列に配列させて前記光ファイバ配列端から露出させる光ファイバ配列変換孔が形成され、
前記光ファイバ配列変換孔の光ファイバテープ収納部側の開口部に、又は、前記光ファイバテープ収納部に、光ファイバを光ファイバ配列変換孔に誘導するテーパーが光ファイバテープ心線の厚さ方向に形成されてなることを特徴とする多心光ファイバアレー用フェルールである。
【００４４】
このため、多心光ファイバアレー用フェルールの部品点数が少なく構成でき、更に下側又は上側に配置される光ファイバテープ心線の少なくとも一方側の光ファイバはテーパーの存在により光ファイバ配列変換孔に容易に挿入することができる優れた効果を有する。
【００４５】
また、このフェルールを用いた光ファイバアレーの製造方法は、各光ファイバを光ファイバ配列変換孔に容易に挿入することができるため、各光ファイバが互いに入れ違って光ファイバ配列変換孔に挿入されたり、その際に光ファイバが切断されたり、破損したりすることなく、容易に製造することができる。またこれにより得られた光ファイバアレーは、上記製造により品質の安定した高品質のものとなる効果を有する。
【図面の簡単な説明】
【図１】本発明の一実施例の一部透過した斜視図。
【図２】図１の実施例を用いて光ファイバを挿入する際の断面説明図。
【図３】本発明の他の実施例に係る一部透過した斜視図。
【図４】図中のイ、ロはそれぞれ図３の異なる光ファイバ案内溝の位置での断面図図。
【図５】本発明の更に他の実施例に係る一部透過した斜視図。
【図６】本発明の更に他の実施例に係る一部透過した斜視図。
【図７】図中のイ、ロは図６のそれぞれ異なる光ファイバ案内溝の位置での断面図図。
【図８】本発明の更に他の実施例に係る一部透過した斜視図。
【図９】図中のイ、ロは図８のそれぞれ異なる光ファイバ案内溝の位置での断面図図。
【図１０】図８の光ファイバ案内溝の形状を示す断面図。
【図１１】本発明の更に他の実施例に係る一部透過した斜視図。
【図１２】本発明の更に他の実施例に係る一部透過した斜視図。
【図１３】本発明に先立ち検討した提案製品を示す一部透過した斜視図。
【図１４】図１３の断面図。
【図１５】図１３の光ファイバ配置図。。
【図１６】従来例に係る一部透過した斜視図。
【符号の説明】
１            光ファイバテープ心線
２            光ファイバ
３            光ファイバ
３            光ファイバテープ心線
４            光ファイバ
５            平板基板
６            配列溝
７            蓋
１１            一端
１２            光ファイバテープ収納部
１３            他端
１４            光ファイバ配列端
１５            光ファイバ配列変換孔
１６            ブロック
２０            多心光ファイバアレー用フェルール
２１    切り欠き
２２    光ファイバ案内溝
２３            テーパー
【図１】
2004246112.tif 000003
【図２】
2004246112.tif 000004
【図３】
2004246112.tif 000005
【図４】
2004246112.tif 000006
【図５】
2004246112.tif 000007
【図６】
2004246112.tif 000008
【図７】
2004246112.tif 000009
【図８】
2004246112.tif 000010
【図９】
2004246112.tif 000011
【図１０】
2004246112.tif 000012
【図１１】
2004246112.tif 000013
【図１２】
2004246112.tif 000014
【図１３】
2004246112.tif 000015
【図１４】
2004246112.tif 000016
【図１５】
2004246112.tif 000017
【図１６】
2004246112.tif 000018